(57)【要約】      （修正有）【課題】円筒状の栽培用ベッドを用いた水耕栽培装置において、植物種子の播種が簡易である上、水耕栽培床の栽培用ベッドへの取付けが簡易で、気根の発生が液肥に向けて集中し、外気の吸入も良好で根腐れのない水耕栽培装置と水耕栽培床を提供する。【解決手段】台枠に水平方向に４段に渡って栽培用ベッド２が配設され、各栽培用ベッド２に所要間隔で内径一定の案内保持筒４が接合され、該案内保持筒４には収縮自在な平面視ドーナッツ状で中心孔から外面に向けて全高に渡り収縮空間が形成された円柱床本体２０と、該円柱床本体２０に挟持され、直方体にして上面中央部から下面に渡ってスリットが該設され、該スリットに種子が封入された栽培駒１７とから成る水耕栽培床５が挿入され、液肥循環装置によって全栽培用ベッド２に液肥８が供給される。【選択図】図４
0003158596.tif 000002
【実用新案登録請求の範囲】
【請求項１】
収縮自在な多孔性材料による平面視ドーナッツ状で、該ドーナッツ状中央の中心孔から外面に向けて収縮空間が全高に渡って形成された所要寸法長尺な円柱床本体と、該円柱床本体の前記中心孔に挟持され、前記中心孔の平面積より大なる平面積で、高さが円柱床本体の丈より所要分短尺な直方体にして、上面中央部より下面に渡ってスリットが刻設された収縮自在な多孔性材料による栽培駒とから成り、前記円柱床本体のドーナッツ状中心孔に前記栽培駒を挟持させて前記栽培駒の下方に空気保有空間が形成され、前記栽培駒のスリットに種子が封入されて使用されることを特徴とする水耕栽培床。
【請求項２】
所要立体枠状の台枠に、水平方向に多段に渡って中空筒状の栽培用ベッドが配設され、各栽培用ベッドの上面には所要間隔で多数個の円形の定植孔が開孔され、該定植孔に水耕栽培床が挿入され、前記各栽培用ベッドには液肥循環装置により所要水位に液肥が循環供給されて成る水耕栽培装置において、前記定植孔には前記栽培用ベッドの上面より所要寸法突出するとともに、内面に所要寸法垂下される内径一定の案内保持筒が植設され、該案内保持筒には、収縮自在な多孔性材料による平面視ドーナッツ状で、該ドーナッツ状中心孔から外面に向けて収縮空間が全高に渡って形成され、外径が前記案内保持筒の内径より大径で、高さが前記案内保持筒の丈より所要寸法長尺にして成る円柱床本体と、該円柱床本体の中心孔の平面積より大なる平面積で、高さが円柱床本体の丈より所要分短尺な直方体にして、上面中央部より下面に渡ってスリットが刻設された収縮自在な多孔性材料による栽培駒とを有し、前記円柱床本体のドーナッツ状中心孔に前記栽培駒を挟持させて成る水耕栽培床を設け、前記案内保持筒に前記水耕栽培床を挿入して、前記水耕栽培床の円柱床本体の中心孔に挟持される栽培駒の下方に空気保有空間が形成されることを特徴とする水耕栽培装置。
【考案の詳細な説明】
【技術分野】
【０００１】
本考案は、立体枠状の台枠上に多段に配設される中空筒状の栽培用ベッドに水耕栽培床を設け、液肥循環装置により各栽培用ベッドに液肥を循環供給し、水耕栽培床に播種された植物を栽培する水耕栽培技術に関する。
【背景技術】
【０００２】
水耕栽培技術としては、従来から特公表昭５６−５００７９４号公報（特許文献１）、特開昭６２−１９００３３号公報（特許文献２）、実開平６−７０５４７号公報（特許文献３）、特開２０００−２２４９３２号公報（特許文献４）、特開２００５−９５０１９号公報（特許文献５）、特開２００５−１３７２５１号公報（特許文献６）等で種々提案されている。
特許文献１に開示された「水耕式栽培装置」は、Ａ字形状の支持フレームに中空ダクトを水平に複数個設け、各中空ダクトの上面に設けた複数個の開口に植えつけ容器が取りはずし自在に射し込まれ、中空ダクト内にポンプによっていわゆる液肥が所要量高低レベルに調節自在に満たされ、貯蔵槽へ循環して植物を栽培するものであるが、前記植えつけ容器はその下方に、収められる栽培媒体が維持される状態のスロットが設けられている。
したがって、植物の根はこのスロットを通って延び液肥を吸収するが、植えつけ容器の内部に詰められる栽培媒体は砂または砂利のようなものであるから、種子からの栽培には適さないものである。
【０００３】
特許文献２に開示された「水耕装置」は、栽培ポットが上部開口部にストッパーフランジが形成された円筒形で、内部には苗を着床させる着床スポンジ設けられ、該着床スポンジは円柱形の一部を縦方向に切り欠き、着床部が形成されたものであり、この着床部にいちご苗等の根の部分を挟み込んで着床部を閉じ、この状態で着床スポンジを栽培ポットの下部開口部側から挿入して該ポット内に取付けるものであり、栽培ポットへの着床スポンジ取付けに手間取る上、種子からの栽培では、切り欠き状態の着床部には種子を定着できず、不適なものである。
【０００４】
特許文献３に開示された「水耕栽培装置」は、種子などの植え付けが、多孔性容器内に多孔性材料(培地)を充填した状態の水耕栽培床の上部とされるから、水耕栽培床の形成作業と播種作業を並列できないから作業能率が悪く、しかも、水耕栽培床自体に充分な空気を保有していないから、気根の発生が栽培発育以外に目詰まりの状態を発現し、培地を介しての大気中からの空気の供給が悪くなって根腐れが生じるおそれがある。
【０００５】
特許文献４に開示された「葉菜類の水耕栽培装置」は、定植穴に充填される培地には気根を発生させる空気槽の形成もなく、単に定植パネルの定植穴（小径の窓穴）に充填されるだけで、種子の播き付けや、苗定植の便宜性、充填時の加減や抜き取り時の便宜性の点などに関しては、何ら提案されていないものである。
【０００６】
特許文献５に開示された技術は、円筒状の栽培用ベッドによる水耕栽培には使用できないものである。
【０００７】
特許文献６に開示された「植物栽培装置」は種子が蒔かれた担体の移植及び移植容器のパネルの配設に手取る、栽培効率の悪いものである。
【先行技術文献】
【特許文献】
【０００８】
【特許文献１】特公表昭５６−５００７９４号公報
【特許文献２】特開昭６２−１９００３３号公報
【特許文献３】実開平６−７０５４７号公報
【特許文献４】特開２０００−２２４９３２号公報
【特許文献５】特開２００５−９５０１９号公報
【特許文献６】特開２００５−１３７２５１号公報
【考案の概要】
【考案が解決しようとする課題】
【０００９】
本考案は上記従来技術に鑑みて、中空筒状の栽培用ベッドを用いる水耕栽培装置において、植物種子の播種が簡易である上、水耕栽培床の栽培用ベッドへの取付けが簡単であり、気根の発生が液肥に向けて集中し、外気の吸入も良好で根腐れのない水耕栽培床及び水耕栽培装置の提供をその目的とするものである。
【課題を解決するための手段】
【００１０】
本考案の請求項１に記載した水耕栽培床は、収縮自在な多孔性材料による平面視ドーナッツ状で、該ドーナッツ状中央の中心孔から外面に向けて収縮空間が全高に渡って形成された所要寸法長尺な円柱床本体と、該円柱床本体の前記中心孔に挟持され、前記中心孔の平面積より大なる平面積で、高さが円柱床本体の丈より所要分短尺な直方体にして、上面中央部より下面に渡ってスリットが刻設された収縮自在な多孔性材料による栽培駒とから成り、前記円柱床本体のドーナッツ状中心孔に前記栽培駒を挟持させて前記栽培駒の下方に空気保有空間が形成され、前記栽培駒のスリットに種子が封入されて使用されることを特徴とするものである。
【００１１】
本考案の請求項２に記載した水耕栽培装置は、所要立体枠状の台枠に、水平方向に多段に渡って中空筒状の栽培用ベッドが配設され、各栽培用ベッドの上面には所要間隔で多数個の円形の定植孔が開孔され、該定植孔に水耕栽培床が挿入され、前記各栽培用ベッドには液肥循環装置により所要水位に液肥が循環供給されて成る水耕栽培装置において、前記定植孔には前記栽培用ベッドの上面より所要寸法突出するとともに、内面に所要寸法垂下される内径一定の案内保持筒が植設され、該案内保持筒には、収縮自在な多孔性材料による平面視ドーナッツ状で、該ドーナッツ状中心孔から外面に向けて収縮空間が全高に渡って形成され、外径が前記案内保持筒の内径より大径で、高さが前記案内保持筒の丈より所要寸法長尺にして成る円柱床本体と、該円柱床本体の中心孔の平面積より大なる平面積で、高さが円柱床本体の丈より所要分短尺な直方体にして、上面中央部より下面に渡ってスリットが刻設された収縮自在な多孔性材料による栽培駒とを有し、前記円柱床本体のドーナッツ状中心孔に前記栽培駒を挟持させて成る水耕栽培床を設け、前記案内保持筒に前記水耕栽培床を挿入して、前記水耕栽培床の円柱床本体の中心孔に挟持される栽培駒の下方に空気保有空間が形成されることを特徴とするものである。
【考案の効果】
【００１２】
本考案の水耕栽培装置は、栽培用ベッドに対する案内保持筒の存在において、その上部では栽培用ベッドに開口された定植孔への案内保持筒の接着を簡易とし、しかも、その内部に挿入される水耕栽培床の挿入を簡単にすると共に成長に伴う支柱の役割を果し、その下部では液肥に円柱床本体を水没させることによって、空気保有空間を介して液肥の流動による真空現象で水耕栽培床内に外気の吸引を誘発させる働きが図られる。
また、栽培時には、水耕栽培床の下方の空気保有空間の空気により液肥の液面方向への気根の発生が誘発され、液肥の吸引が旺盛となって発育が早まる上、上部の多孔質方向への気根の発生がなくなり、目詰まりを起こすことがなく、大気からの空気も供給されて根腐れもなく、正常で健康的な栽培が達成される。
【図面の簡単な説明】
【００１３】
【図１】本考案の水耕栽培装置の側面視説明図である。
【図２】台枠の説明図で、（ａ）は正面図、（ｂ）は（ａ）の右側面図である。
【図３】水耕栽培床の分解状態の斜視図である。
【図４】栽培用ベッドにおける水耕栽培状態の部分縦断面図である。
【図５】水耕栽培床に対する案内保持筒の他の実施態様の説明図で、（ａ）は正面図、（ｂ）は（ａ）の右側面図である。
【考案を実施するための形態】
【００１４】
本考案の水耕栽培装置の一実施例を添付図面により、以下に説明する。
図１に示すように、立体枠状の台枠１の一面で所要長さに渡って水平方向に４段に渡って配設される中空円筒状の栽培用ベッド２には、それぞれ上面に所要の間隔で多数個の円形の定植孔３が開口され、各定植孔３には円筒状の内径一定の案内保持筒４が挿入されている。
【００１５】
また、前記台枠１を詳述すると、図２（ｂ）に示すように、左右端と中央に側面視くの字状の軽量形鋼による縦骨９が背面から逆くの字状の同材質（以下、各部材の材質は同一であるから省略する。）の支持骨１０で支えられるとともに、図２（ａ）に示すように、下方部と上端部とで三本の縦骨９が各横骨１１で接合され、背面の三本の支持骨１０は下方部の横骨１２で接合され、さらに、縦骨９と支持骨１０とは下方部で前後に渡って補強骨１３で接合されて成る。各縦骨９の傾斜部１４に配設される各栽培用ベッド２は、各傾斜部１４においてΩ（オメガ）状の固定バンド１５でそれぞれ固定されるものである。
【００１６】
前記案内保持筒４は、適宜な位置決め治具や合マーク等で位置決めされ、接着剤等の固定手段により水密状に植設されるが、図５に示すように、その姿勢は栽培用ベッド２の上面よりその上端を所要寸法（２０〜３０ｍｍ）突出させるとともに、内面に所要寸法（３０〜４０ｍｍ）垂下させてその中心を栽培用ベッド２の軸心に垂直に保持されるものである。
図４に示すように、この状態の案内保持筒４に水耕栽培床５がその上端から挿入され、液肥循環装置６によって全栽培用ベッド２に張り渡されたパイプライン（図示せず）で供給され、各栽培用ベッド２には適宜な液位に液肥８が保持されるものである。
なお、前記した栽培用ベッド２及びその定植孔３に接合される案内保持筒４は、その材質が軽量かつ安価な面から合成樹脂製のものが選択される。
【００１７】
本考案に使用される台枠１は、片面に栽培用ベッド２を設けた構造に限定されるものでなく、両面に栽培用ベッド２を設ける構造でも提供され、また、栽培用ベッド２の上面に所要間隔で配設される定植孔３に植設される案内保持筒４は、位置決め治具により定位置に保持されて接合されるものから、図５に示すように接合位置を一定ならしめるための一手段として位置決め脚２４を垂下するもの、又は案内保持筒４の突出基端でその周面の少なくとも一方に位置決めピン２５を植設したものなどでも提供される。
【００１８】
ここで、前記案内保持筒４に挿入される水耕栽培床５について説明すると、図３に示すように、前記水耕栽培床５は多孔性材料（スポンジ）からなる直方体で、上面中央部には下面に渡って所要長さのスリット１６が刻設され、平面積が後述する中心孔１８の面積より大なる栽培駒１７と、多孔性材料（スポンジ）からなる平面視ドーナッツ状で、ドーナッツ状中央の所要円形の中心孔１８から外面に向けて切り欠いた収縮空間１９が全高に渡って形成され、外径が前記案内保持筒４の内径より大径で、高さが前記案内保持筒４の丈よりつかみ代分（１５ｍｍ程度）長尺な円柱床本体２０とから成る。
【００１９】
前記円柱床本体２０の中心孔１８の上部に前記栽培駒１７が挿入挟持されるものであるが、作業上では栽培駒１７のスリット１６が仮想線で示すように開かれて、栽培対象の植物の種子が封入されて多数準備され、種子が封入された状態の栽培駒１７が円柱床本体２０の中心孔１８に組み込まれて水耕栽培床５として所要数用意される。
そして、その状態の水耕栽培床５が収縮空間１９を収縮した縮径状で前記案内保持筒４にその上端から挿入されるが、その際、図４に示すように前記案内保持筒４の上端より円柱床本体２０の上面を前記したつかみ代分突出させた状態で収められるものである。
【００２０】
また、前記案内保持筒４への水耕栽培床５の挿入に関連して、栽培用ベッド２と案内保持筒４との接合について説明すると、図５に示すように前記案内保持筒４の上部が栽培用ベッド２の上面（円周頂面）より所要分突出するということは、栽培用ベッド２に開口される定植孔３への接着を簡易とし、かつ、水耕栽培床５の挿入をし易くするとともに、その挿入状態を安定化するもの（栽培用ベッド２の内面に垂下される長さは液肥の液面との関係で限定されるため、その背丈を高くしたいため）であり、案内保持筒４の栽培用ベッド２の内面に垂下される下部は、前記上部と共に挿入される水耕栽培床５の挿入状態を安定化することは勿論のこと、内部の液肥に没する部分で液肥の流動により、水耕栽培床に空気保有空間を介して空気の吸引を誘発させる働きが図られる長さが選択されたものである。
【００２１】
このようにして成る図１に示す水耕栽培装置Ａは、液肥循環装置６により各栽培用ベッド２に適度に稀釈調合された液肥８が供給されるが、各栽培用ベッド２内の液面は図４に示すように、前記案内保持筒４の下面を僅かに没する程度に維持されるので、水耕栽培床５の円柱床本体２０の中心孔１８の下方に形成される空気保有空間２２に液肥８が満たされることがなく、液肥８は毛細管現象により、円柱床本体２０から栽培駒１７に渡って吸引される。
そして、前記栽培駒１７のスリット１６に封入された種子２１が発芽して根を張り出す状態となると、中心孔１８の下方の前記空気保有空間２２の空気が根に酸素を供給し、液面方向への気根の発生が旺盛となり、多孔質材料中の気根による目詰まりがなく、さらには、液肥の流動によって外気が水耕栽培床５に取り入れ易くなって多数の気根から液肥８が吸収されて発育も早まり、やがて収穫の時期が到来すると、植物２３が収穫されることとなる。
【００２２】
なお、前記した栽培用ベッド２への案内保持筒４の取付けの能率化は、水耕栽培装置Ａのイニシャルコストに大きな影響を与えるものであるから、一般的には宙吊り状態なる案内保持筒４の栽培用ベッド２への位置決めは、適宜な治具を使用したり、合マークを付すなどでその取付けコストの軽減化が図られるが、前述したように図５に示すように、案内保持筒４の栽培用ベッド２の内部における下端から所要長の一対の位置決め脚２４を垂下したり、案内保持筒４の突出基端でその周面の少なくとも一方に仮想線で示す位置決めピン２５を植設するなどでも提供される。
なお、上記位置決め脚２４は根のからみなどで液肥の流動を阻害する事態の対策としては、案内保持筒４を栽培用ベッド２に接着固定後、切り目や仮止め部から切除することも考えられる。
【００２３】
本考案は、水耕栽培において根腐れのない高品質の水耕栽培作物を生産できるから、水耕栽培農業に貢献できることは勿論のこと、水耕栽培装置に使用する資材関連の業界の活性化にも資するものである。
【符号の説明】
【００２４】
１  台枠
２  栽培用ベッド
３  定植孔
４  案内保持筒
５  水耕栽培床
６  液肥循環装置
７  パイプライン
８  液肥
９  縦骨
１０  支持骨
１１、１２  横骨
１３  補強骨
１４  傾斜部
１５  固定バンド
１６  スリット
１７  栽培駒
１８  中心孔
１９  収縮空間
２０  円柱床本体
２１  種子
２２  空気保有空間
２３  植物
２４  位置決め脚
２５  位置決めピン
Ａ  水耕栽培装置
【図１】
0003158596.tif 000003
【図２】
0003158596.tif 000004
【図３】
0003158596.tif 000005
【図４】
0003158596.tif 000006
【図５】
0003158596.tif 000007